(57)【要約】【課題】配線が電気的に接続されるべき端子を即座に特定することが可能となる表示具を提供することを目的とする。【解決手段】  複数の端子を備える第１中継器１及び第２中継器２に用いられる表示具３であって、複数の端子のうちの配線が電気的に接続されるべき端子である配線接続端子を表示する表示具３であり、第１中継器１の基準位置に対して当接して表示具３を位置決めする位置決め部３１と、第１中継器１に対して表示具３が位置決め部３１にて位置決めされた場合に、配線接続端子を表示する端子表示部と、を備え、また、複数の端子のうちの少なくとも２つ以上の端子に対する配線９１の接続状態を表示する接続情報表示部３３を備え、端子表示部は、切り欠き部である。【選択図】図６
2019149283.tif 000002
【特許請求の範囲】
【請求項１】
複数の端子を備える電気機器に用いられる表示具であって、前記複数の端子のうちの配線が電気的に接続されるべき端子である配線接続端子を表示する前記表示具であり、
前記電気機器の基準位置に対して当接して前記表示具を位置決めする位置決め手段と、
前記電気機器に対して前記表示具が前記位置決め手段にて位置決めされた場合に、前記配線接続端子を表示する端子表示手段と、
を備える表示具。
【請求項２】
前記複数の端子のうちの少なくとも２つ以上の端子に対する前記配線の接続状態を表示する接続状態表示手段、を備える、
請求項１に記載の表示具。
【請求項３】
前記端子表示手段は、前記電気機器に対して前記表示具が前記位置決め手段にて位置決めされた場合に、前記表示具における前記配線接続端子に対応する位置に設けられる切り欠き部である、
請求項１又は２に記載の表示具。
【請求項４】
複数の前記表示具を束ねる束ね手段、を備える、
請求項１から３の何れか一項に記載の表示具。
【請求項５】
複数の端子を備える電気機器に用いられる表示具であって、前記複数の端子のうちの配線が電気的に接続されるべき端子である配線接続端子を表示する前記表示具であり、前記電気機器の基準位置に対して当接して前記表示具を位置決めする位置決め手段と、前記電気機器に対して前記表示具が前記位置決め手段にて位置決めされた場合に、前記配線接続端子を表示する端子表示手段と、を備えている前記表示具を生成するための表示具生成具であり、
予め定められている複数の位置に設けられている端子表示生成手段であって、加工されて当該端子表示手段になる前記端子表示生成手段、を備え、
前記端子表示生成手段が加工されて前記端子表示手段になった場合に、前記表示具生成具が前記表示具になる、
表示具生成具。
【発明の詳細な説明】
【技術分野】
【０００１】
本発明は、表示具、及び表示具生成具に関する。
【背景技術】
【０００２】
従来、電気信号を中継する中継器が知られていた（特許文献１）。この中継器においては、電気信号を通信するための配線が接続される端子が複数設けられており、この複数の端子に対して配線を接続して当該中継器を動作させていた。特に、中継器に対する端子の配線については、一般的に、作業員が、中継器の筐体における各端子に対応する位置に貼付されている端子名ラベルを基準にして、配線を接続するべき端子を特定した上で、当該特定した端子に対して配線を接続していた。
【先行技術文献】
【特許文献】
【０００３】
【特許文献１】特開２００４−２５２６２５号公報
【発明の概要】
【発明が解決しようとする課題】
【０００４】
しかしながら、例えば、端子名ラベルの貼付位置がずれていたりして、配線を接続するべき端子以外の端子に対して誤って配線を接続してしまう可能性があったので、配線が適切に接続されているか否かを確認する確認作業が行われていたが、当該確認作業が煩雑となる可能性があった。すなわち、端子名ラベルの貼付位置がずれている場合、接続するべき端子を、端子名ラベルを基準に即座に特定することが困難となる可能性があり、当該確認作業が煩雑となる可能性があった。また、中継器に配線が接続されていない状態において、最初に配線を接続する場合も、接続するべき端子を特定する必要があるが、この場合も、接続するべき端子を即座に特定することが困難となる可能性があった。
【０００５】
また、中継器の端子名ラベルは、水平に見た際の端子に対応しているため、例えば中継器盤の設置高さが作業者の目線と水平ではない高い位置にあった場合、端子名ラベルと端子台が面一でないことから、目視では端子名ラベルと端子の穴にずれが生じるため、端子名ラベルを元に正しい端子を把握することは容易ではなかった。
【０００６】
そこで、配線が電気的に接続されるべき端子を即座に特定することが可能となる表示具、及び当該表示具を容易に生成するための表示具生成具を提供することを目的とする。
【課題を解決するための手段】
【０００７】
上述した課題を解決し、目的を達成するために、請求項１に記載の表示具は、複数の端子を備える電気機器に用いられる表示具であって、前記複数の端子のうちの配線が電気的に接続されるべき端子である配線接続端子を表示する前記表示具であり、前記電気機器の基準位置に対して当接して前記表示具を位置決めする位置決め手段と、前記電気機器に対して前記表示具が前記位置決め手段にて位置決めされた場合に、前記配線接続端子を表示する端子表示手段と、を備える。
【０００８】
また、請求項２に記載の表示具は、請求項１に記載の表示具において、前記複数の端子のうちの少なくとも２つ以上の端子に対する前記配線の接続状態を表示する接続状態表示手段、を備える。
【０００９】
また、請求項３に記載の表示具は、請求項１又は２に記載の表示具において、前記端子表示手段は、前記電気機器に対して前記表示具が前記位置決め手段にて位置決めされた場合に、前記表示具における前記配線接続端子に対応する位置に設けられる切り欠き部である。
【００１０】
また、請求項４に記載の表示具は、請求項１から３のいずれか一項に記載の表示具において、複数の前記表示具を束ねる束ね手段、を備える。
【００１１】
また、請求項５に記載の表示具生成具は、複数の端子を備える電気機器に用いられる表示具であって、前記複数の端子のうちの配線が電気的に接続されるべき端子である配線接続端子を表示する前記表示具であり、前記電気機器の基準位置に対して当接して前記表示具を位置決めする位置決め手段と、前記電気機器に対して前記表示具が前記位置決め手段にて位置決めされた場合に、前記配線接続端子を表示する端子表示手段と、を備えている前記表示具を生成するための表示具生成具であり、予め定められている複数の位置に設けられている端子表示生成手段であって、加工されて当該端子表示手段になる前記端子表示生成手段、を備え、前記端子表示生成手段が加工されて前記端子表示手段になった場合に、前記表示具生成具が前記表示具になる。
【発明の効果】
【００１２】
請求項１に記載の表示具によれば、電気機器に対して表示具が位置決め手段にて位置決めされた場合に、配線接続端子を表示することにより、例えば、配線接続端子を直接的に表示することができるので、配線が電気的に接続されるべき端子を即座に特定することが可能となる。
【００１３】
請求項２に記載の表示具によれば、配線の接続状態を表示することにより、例えば、配線の接続状態についても確認することができるので、想定していない端子間に配線が接続されることを確実に防止することが可能となる。
【００１４】
請求項３に記載の表示具によれば、端子表示手段が切り欠き部であることにより、例えば、表示具の形状に基づいて配線接続端子を表示することができるので、配線が電気的に接続されるべき端子を即座に特定することが可能となる。また、例えば、配線接続端子に接続される配線が切り欠き部の内部に設けられているか否かに基づいて、想定している端子に配線が接続されているか否かを確認することが可能となる。
【００１５】
請求項４に記載の表示具によれば、束ね手段を備えることにより、例えば、複数の表示具を束ねることができるので、表示具の管理を容易化することが可能となる。
【００１６】
請求項５に記載の表示具生成具によれば、端子表示生成手段が加工されて端子表示手段になった場合に、表示具生成具が表示具になることにより、例えば、端子表示生成手段を加工するという比較的単純な作業を行うことにより表示具を生成することができるので、表示具を容易に生成することが可能となる。また、例えば、加工されて表示具の端子表示手段になる対象である端子表示生成手段が複数の位置に設けられているので、表示具を適用する現場に合わせて所望の端子表示生成手段を加工することにより、当該現場に適用可能な表示具を容易且つ即座に生成することが可能となる。
【図面の簡単な説明】
【００１７】
【図１】本実施の形態が適用される第１及び第２中継器の正面図である。
【図２】第１中継器の側面図である。
【図３】図１の第１及び第２中継器の一部の拡大図である。
【図４】配線が接続された状態の第１及び第２中継器の正面図である。
【図５】表示具の正面図である。
【図６】図４の第１中継器に対して表示具を位置決めした状態を示す正面図である。
【図７】表示具の他の形状を示す正面図である。
【図８】表示具生成具の正面図である。
【図９】複数の表示具が束ねられた状態の正面図である。
【発明を実施するための形態】
【００１８】
以下に、本発明に係る表示具の実施の形態を図面に基づいて詳細に説明する。なお、この実施の形態によりこの発明が限定されるものではない。
【００１９】
〔実施の形態の基本的概念〕
まずは、実施の形態の基本的概念について説明する。実施の形態は、概略的に、表示具、及び表示具生成具に関するものである。ここで、「表示具」とは、複数の端子を備える電気機器に用いられるものであって、複数の端子のうちの配線が電気的に接続されるべき端子である配線接続端子を表示するであり、例えば、位置決め手段、及び端子表示手段を備え、任意で、接続状態表示手段、及び束ね手段を備える道具である。
【００２０】
また、「表示具生成具」とは、表示具を生成するための生成手段であり、具体的には、自己の一部が加工されることにより自己が表示具になるものであり、例えば、自己の一部が折り曲げられたり、また、自己の一部が除去されたりして、表示具になるものであり、一例としては、端子表示生成手段を備えるものである。
【００２１】
「電気機器」とは、複数の端子を備える機器であり、具体的には、電気的に動作するものであって、防災目的のために用いる装置、及び防災以外の目的のために用いる装置等を含む概念であり、例えば、電気信号を中継する中継器（一例としては、監視用中継器、制御用中継器等）、及び防災受信機等を含む概念である。
【００２２】
「配線接続端子」とは、配線が接続されるべき端子であり、具体的には、電気機器に設けられている複数の端子のうちの１つ以上の端子であり、例えば、予め定められている端子である。「配線」とは、電気を通電するための導電線であり、例えば、電源電圧供給用の導電線、あるいは、通信信号伝達用の導電線等を含む概念である。
【００２３】
「位置決め手段」とは、電気機器の基準位置に対して当接して表示具を位置決めする手段であり、具体的には、電気機器に当接する表示具の一部である。また、「端子表示手段」とは、電気機器に対して表示具が位置決め手段にて位置決めされた場合に、配線接続端子を表示する手段であり、具体的には、配線接続端子の位置（配線接続端子の周辺位置を含む）を表示するものであって、表示具の一部であり、例えば、任意の形状（例えば、突出部、切り欠き部、湾曲部、凹部等）又は任意の模様（例えば、直線、曲線等）等を含む概念である。
【００２４】
「接続状態表示手段」とは、複数の端子のうちの少なくとも２つ以上の端子に対する配線の接続状態を表示する手段であり、また、「束ね手段」とは、複数の表示具を束ねる手段である。
【００２５】
また、「端子表示生成手段」とは、表示具生成具の予め定められている複数の位置に設けられている手段であって、加工されて端子表示手段になる手段であり、具体的には、表示具生成具の一部である。
【００２６】
以下の実施の形態においては、「電気機器」が中継器であり、また、「位置決め手段」が切り欠き部である場合の表示具について説明し、変形例において、表示具生成具について説明する。
【００２７】
（構成）
まず、本実施の形態に係る表示具の適用対象となる第１及び第２中継器の構成について説明する。図１は、本実施の形態が適用される第１及び第２中継器の正面図であり、図２は、第１中継器の側面図であり、図３は、図１の第１及び第２中継器の一部の拡大図であり、図４は、配線が接続された状態の第１及び第２中継器の正面図である。なお、以下の説明では、各図に示すＸ―Ｙ―Ｚ方向が互いに直交する方向であり、具体的には、Ｚ方向が鉛直方向であって、Ｙ方向及びＸ方向が鉛直方向に対して直交する水平方向であるものとして、例えば、Ｚ方向を上下方向と称して、＋Ｚ方向を上側と称し−Ｚ方向を下側と称し、Ｘ方向を左右方向と称して、＋Ｘ方向を右側と称し−Ｘ方向を左側と称し、Ｙ方向を前後方向と称し、＋Ｙ方向を前側（又は、正面側）と称し−Ｙ方向を後ろ側（又は、背面側）と称して説明する。
【００２８】
（構成‐中継器）
これら各図に示す第１中継器１及び第２中継器２は、電気機器であり、例えば、少なくとも第１中継器及び第２中継器２を収容する中継器盤（なお、中継器盤の全体構成は不図示）の内部に取り付けられているものである。具体的な取り付け手法は任意であるが、例えば、中継器盤の不図示の扉を開けた場合に、図１に示すように、相互に隣接して取り付けられ固定されている第１中継器１と第２中継器２とが露出するように取り付けられていることとして説明する。
【００２９】
（構成‐中継器‐第１中継器）
第１中継器１は、例えば、電気信号を中継する中継器であり、例えば、制御用中継器であり、一例としては、筐体１１、端子台１２、端子孔１３、及び基準位置１００を備える。
【００３０】
筐体１１は、第１中継器１の構成要素を収容する収容手段であり、例えば、図２に示すように中継器盤に任意の手法（例えば、ねじ止め等）取り付けられているものであり、また、所定の厚みをもって突出しているものである。
【００３１】
端子台１２は、不図示の複数の端子を集合した集合手段であり、例えば、図１及び図２に示すように筐体１１に沿っている延在している細長いものであり、また、図２に示すように当該端子台１２の正面側（＋Ｙ方向）の端面が筐体１１の正面側（＋Ｙ方向）の端面よりも背面側（−Ｙ方向）に設けられているものであり、また、図１に示すように、右側（＋Ｘ側）の縁の一部を形成しているものである。そして、端子台１２の構成により、端子台１２と筐体１１との境目に段差が形成されることになる。
【００３２】
端子孔１３は、端子台１２の内部に設けられている不図示の複数の端子に連通している連通手段であり、例えば、端子台が延在する方向（Ｚ方向）に沿って複数設けられているものであり、また、各端子孔１３が各端子に連通しているものであり、また、楕円形状のものである。
【００３３】
図３の基準位置１００は、第１中継器１の一部であって、後述する表示具３を位置決めする場合の基準となる部分であり、具体的には、表示具３が当接する当接手段であり、例えば、図３に示すように、筐体１１と端子台１２の境目の段差が形成されている部分であり、詳細には、当該境目における上側（＋Ｚ方向）且つ左側（−Ｘ方向）の隅に対応する部分である。
【００３４】
（構成‐中継器‐第２中継器）
第２中継器２は、例えば、電気信号を中継する中継器であり、例えば、監視用中継器であり、一例としては、筐体２１、端子台２２、及び端子孔２３を備える。なお、これらの筐体２１、端子台２２、及び端子孔２３については、端子台２２の大きさが第１中継器１の端子台１２の大きさと異なる点を除いて、第１中継器１における同一名称の構成要素と同様であるので、その説明を省略する。
【００３５】
（構成‐中継器‐第１中継器及び第２中継器の配線）
そして、このような第１中継器１及び第２中継器２は、目的や用途に応じて任意の本数の配線が任意の端子に接続されるが、ここでは、例えば、所定の用途（例えば、地区毎の火災確定を行う等の任意の用途）のために、図４に示すように、第１中継器１及び第２中継器２が、３本の配線９１によって接続される場合を例示して説明する。詳細には、図４に示すように、各配線接続端子に通じる孔である配線接続端子孔１３１、２３１に配線９１を挿入して、当該配線９１の両端を不図示の第１中継器１側の配線接続端子及び第２中継器２側の配線接続端子に接続することを想定している場合について説明する。
【００３６】
（構成‐表示具）
次に、表示具の構成について説明する。図５は、表示具の正面図である。この図５に示す表示具３は、配線接続端子を表示する表示手段であり、具体的には、第１中継器１及び第２中継器２の不図示の配線接続端子を表示するものであり、例えば、当該配線接続端子に対応する位置示すものである。この表示具３の具体的な種類や構成は任意であるが、例えば、各中継器の端子台に設けられている各端子の配置に対応する形状であって、詳細には、全体として１つの方向（例えば、Ｚ軸方向）に沿って延在しているものであり、また、適宜弾性的に撓むものであり、また、厚みが比較的薄く（例えば、０．２ｍｍ〜０．５ｍｍ程度等）なっているものであり、また、樹脂等で形成されているものであり、また、不透明又は半透明となっているものである。また、表示具３は、例えば、位置決め部３１、端子表示部３２、接続情報表示部３３、及び把持部３４を備える。
【００３７】
（構成‐表示具‐位置決め部）
位置決め部３１は、前述の位置決め手段であり、具体的には、第１中継器１の基準位置１００に対して当接して表示具３を第１中継器１及び第２中継器２に対して位置決めするものである。この位置決め部３１の具体的な種類や構成は任意であるが、例えば、表示具３における把持部３４とは反対側の端部に設けられているものであり、また、表示具３における位置決め部３１以外の部分よりも左側（−Ｘ方向）に突出している突出部である。
【００３８】
（構成‐表示具‐端子表示部）
端子表示部３２は、前述の端子表示手段であり、具体的には、第１中継器１に対して表示具３が位置決め部３１にて位置決めされた場合に、配線接続端子を表示するものである。この端子表示部３２の具体的な種類や構成は任意であるが、例えば、第１中継器１に対して表示具３が位置決めされた場合に、図４の配線接続端子孔１３１、２３１を表示するものであり、つまり、配線接続端子を表示するものであり、詳細には、当該配線接続端子孔１３１、２３１に対応する位置に設けられている切り欠き部であって、表示具３が延在している方向（Ｚ軸方向）を基準にして左右両側（＋Ｘ方向及び−Ｘ方向）に設けられている切り欠き部である。
【００３９】
（構成‐表示具‐接続情報表示部）
接続情報表示部３３は、前述の接続情報表示手段であり、具体的には、第１中継器１及び第２中継器２の配線接続端子に対する配線９１の接続するべき状態である接続状態を表示するものである。この接続情報表示部３３の具体的な種類や構成は任意であるが、例えば、配線９１を用いて相互に接続するべき配線接続端子に連通する配線接続端子孔１３１、２３１に対応する端子表示部３２の組を表示するものであり、詳細には、当該端子表示部３２の組を相互に結ぶ点線である。
【００４０】
（構成‐表示具‐把持部）
把持部３４は、ユーザが表示具３を保持するために把持する把持手段である。この把持部３４の具体的な種類や構成は任意であるが、例えば、表示具３における位置決め部３１側の端部とは反対側の端部に設けられている部分であり、また、表示具３における把持部３４以外の部分よりも細くなっているものである。
【００４１】
（使用方法）
次に、表示具３の使用方法について説明する。表示具３を使用する場面は任意であり、例えば、既に端子に対して接続されている配線が想定通りに接続されているか否かの確認（つまり、接続作業後の確認）を行うために使用したり、また、未だ端子に対して配線が接続されていない状態において、配線を想定通りに接続するための配線接続端子の位置の確認（つまり、接続作業前の確認）を行うために使用したりするが、ここでは、例えば、「接続作業後の確認」を行う場合を例示して説明する。
【００４２】
図６は、図４の第１中継器に対して表示具を位置決めした状態を示す正面図である。まず、ユーザである作業者が、図４に示すように、想定に従って、配線９１の一方の端部を接続する配線接続端子に対応する配線接続端子孔１３１、及び当該配線９１の他方の端部を接続する配線接続端子に対応する配線接続端子孔２３１を特定する。具体的には任意であるが、例えば、配線９１の想定した接続状態を示す配線接続状態図を参照して、第１中継器１の端子孔１３の配列及び第２中継器２の端子孔２３の配列を基準にして特定したり、あるいは、筐体１１、２１における各端子孔１３の近傍に貼付されている不図示の端子名称のラベルを基準にして特定したりする。ここでは、例えば、配線接続端子孔１３１、２３１を特定する。
【００４３】
次に、作業者は、配線９１を不図示の端子に電気的に接続する。具体的には任意であるが、例えば、前述の特定した各端子孔１３、２３に対して配線９１の一方の端部又は他方の端部を挿通した上で各端子に接続する。ここでは、例えば、図４に示すように、配線接続端子孔１３１の端子に配線９１の一方の端部を接続し、配線接続端子孔２３１の端子に配線９１の他方の端部を接続する。
【００４４】
次に、作業者は、第１中継器１に対して表示具３を位置決めする。具体的には任意であるが、例えば、表示具３の位置決め部３１を第１中継器１の基準位置１００に当接させることにより位置決めする。ここでは、例えば、表示具３が撓むことを利用して、配線９１をくぐらせて、図６に示すように配線９１と第１中継器１及び第２中継器２との相互間に設けた上で、位置決め部３１を基準位置１００に当接させることにより位置決めする。
【００４５】
次に、作業者は、既に端子に対して接続されている配線が想定通りに接続されているか否かの確認を行う。具体的には任意であるが、例えば、表示具３の端子表示部３２に対応する端子孔１３、２３に対して過不足無く配線が挿通されて接続されているかを視認して確認する。そして、過不足無く配線が挿通されて接続されている場合、既に端子に対して接続されている配線が想定通りに接続されているものと確認し、また、過不足無く配線が挿通されて接続されている場合（つまり、過不足が存在する場合）、既に端子に対して接続されている配線が想定通りに接続されているわけではないものと確認する。特に、配線を接続するべき端子を過っている場合、当該過って接続された不図示の配線が表示具３における一部にあたることになり、表示具３を適切に位置決めすることができないが、このように、表示具３の位置決めを適切に行えない場合に、既に端子に対して接続されている配線が想定通りに接続されていないものと確認することもできる。これにて、接続作業後の確認を終了する。
【００４６】
（実施の形態の効果）
このように本実施の形態によれば、第１中継器１に対して表示具３が位置決め部３１にて位置決めされた場合に、配線接続端子を表示することにより、例えば、配線接続端子を直接的に表示することができるので、配線９１が電気的に接続されるべき端子を即座に特定することが可能となる。
【００４７】
また、配線の接続状態を表示することにより、例えば、配線の接続状態についても確認することができるので、想定していない端子間に配線が接続されることを確実に防止することが可能となる。
【００４８】
また、端子表示部３２が切り欠き部であることにより、例えば、表示具３の形状に基づいて配線接続端子を表示することができるので、配線９１が電気的に接続されるべき端子を即座に特定することが可能となる。また、例えば、配線接続端子に接続される配線が切り欠き部の内部に設けられているか否かに基づいて、想定している端子に配線９１が接続されているか否かを確認することが可能となる。
【００４９】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５０】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００５１】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００５２】
（表示具の材料等について）
また、上記実施の形態の表示具３を透明の材料にて構成してもよし、また、金属又は木材等の撓みにくい材料にて構成してもよい。
【００５３】
（切り欠き部について）
また、上記実施の形態の端子表示部３２である切り欠き部については、図５に示すように矩形以外の任意の形状にしてもよく、例えば、配線９１が当たった場合に当該配線９１の損傷を防止する観点から円形又は楕円形のように湾曲した形状にしてもよい。
【００５４】
（接続情報表示部について）
また、上記実施の形態の接続情報表示部３３である点線については、任意に変更してもよく、例えば、実線又は一点鎖線に変更してもよく、また、図５に示すように直線として表示してもよいし、あるいは、曲線として表示してもよく、また、任意の色（例えば、各配線９１の外皮が色分けされている場合には、当該色と同じ色の赤色又は青色等）にて表示してもよい。
【００５５】
（使用方法について）
また、上記実施の形態で説明したように、表示具３を「接続作業前の確認」を行うために使用してもよく、この場合、第１中継器１に対して表示具３を位置決めした後に、端子表示部３２である切り欠き部に合わせて配線９１を接続してもよい。
【００５６】
（表示具の変形について）
また、表示具を任意に変形してもよい。図７は、表示具の他の形状を示す正面図である。この図７に示すように、図５の表示具３において、左側（＋Ｘ方向）のみに端子表示部４２を設けて、表示具４を構成してもよい。このように構成した場合、表示具４の左右方向（Ｘ軸方向）における幅を狭くすることができるので、コンパクトで使い勝手のよい表示具４を提供することが可能となる。
【００５７】
（表示具の生成について）
また、各図の表示具については、任意の手法で生成してもよく、例えば、表示具の全体を工場等で生成してもよいし、あるいは、工場等で表示具の一部を生成した上で、ユーザが他の一部を生成することにより、表示具を生成してもよい。後者の場合、工場で表示具生成具を生成した上で、当該生成具の少なくとも一部をユーザが加工（一例としては、除去）することにより、当該表示具生成具から表示具を生成してもよい。図８は、表示具生成具の正面図である。この図８に示す表示具生成具５００は、表示具を生成するための部品であり、例えば、図７の端子表示部４２の部分を除いて全体としては表示具４と同様な形状であり、また、端子表示生成部５５を備えるものである。
【００５８】
この端子表示生成部５５は、前述の端子表示生成手段である。この端子表示生成部５５の具体的な種類や構成は任意であるが、例えば、端子表示部４２の候補となる位置に複数設けられている部分であり、表示具生成具５００における端子表示生成部５５に対応する部分をユーザが手作業にて除去できるように、連続した小孔であるいわゆるミシン目（図８では、説明の便宜上、ミシン目を細線の実線で図示している）にて区切られた部分である。そして、ユーザが、表示具生成具５００における複数の端子表示生成部５５から、除去するべきものを任意の手法（例えば、電気機器の複数の端子に対する配線を接続するべき端子の当該電気機器の基準位置からの相対位置と、表示具生成具５００における表示具の位置決め部となる部分と端子表示生成部５５との相対位置とを考慮して特定する手法等）で特定し、特定した端子表示生成部５５を除去することにより、表示具が生成される。ここでは、例えば、図８の表示具生成具５００における図面上側（＋Ｚ方向）から１番目、３番目、５番目の端子表示生成部５５を特定し、特定した当該端子表示生成部５５をミシン目に沿って除去することにより、図７の端子表示部４２が生成され、結果として、図８の表示具生成具５００から図７の表示具４が生成されることになる。このように構成した場合、端子表示生成部５５が加工されて端子表示部４２になった場合に、表示具生成具５００が表示具４になることにより、例えば、端子表示生成部５５を加工するという比較的単純な作業を行うことにより表示具４を生成することができるので、表示具４を容易に生成することが可能となる。また、例えば、加工されて表示具４の端子表示部４２になる対象である端子表示生成部５５が複数の位置に設けられているので、表示具４を適用する現場に合わせて所望の端子表示生成部５５を加工することにより、当該現場に適用可能な表示具４を容易且つ即座に生成することが可能となる。
【００５９】
（束ね部について）
また、各図に示す表示具に束ね部を設けて、複数の表示具を相互に束ねてもよい。図９は、複数の表示具が束ねられた状態の正面図である。この図９に示すように、複数の表示具６に、束ね部６６を設けてもよい。「束ね部」６６とは、前述の束ね手段である。この束ね部６６の具体的な種類や構成は任意であるが、例えば、表示具６に把持部に設けられた貫通孔として構成されている。そして、この貫通孔に束ねリング９２を挿通してまとめることにより、複数の表示具６を相互に束ねることができる。このように構成した場合、束ね部６６を備えることにより、例えば、複数の表示具６を束ねることができるので、表示具６の管理を容易化することが可能となる。
【００６０】
（適用について）
また、上記実施の形態又は変形例の表示具については、様々な場面に適用することが考えられるが、例えば、火報システムの規模が大きい場合、例えばフロア毎や回線毎などの範囲で中継器間で同一の配線を行うケースが考えられるが、このような場面に適用してもよく、この場合、当該表示具を用いることにより、このような同一の配線を行う際に都度活用できるため、特に効果的に用いることができ、有用となる。
【００６１】
（付記）
付記１の表示具は、複数の端子を備える電気機器に用いられる表示具であって、前記複数の端子のうちの配線が電気的に接続されるべき端子である配線接続端子を表示する前記表示具であり、前記電気機器の基準位置に対して当接して前記表示具を位置決めする位置決め手段と、前記電気機器に対して前記表示具が前記位置決め手段にて位置決めされた場合に、前記配線接続端子を表示する端子表示手段と、を備える。
【００６２】
付記２の表示具は、付記１に記載の表示具において、前記複数の端子のうちの少なくとも２つ以上の端子に対する前記配線の接続状態を表示する接続状態表示手段、を備える。
【００６３】
付記３の表示具は、付記１又は２に記載の表示具において、前記端子表示手段は、前記電気機器に対して前記表示具が前記位置決め手段にて位置決めされた場合に、前記表示具における前記配線接続端子に対応する位置に設けられる切り欠き部である。
【００６４】
付記４の表示具は、付記１から３のいずれか一項に記載の表示具において、複数の前記表示具を束ねる束ね手段、を備える。
【００６５】
付記５に記載の表示具生成具は、複数の端子を備える電気機器に用いられる表示具であって、前記複数の端子のうちの配線が電気的に接続されるべき端子である配線接続端子を表示する前記表示具であり、前記電気機器の基準位置に対して当接して前記表示具を位置決めする位置決め手段と、前記電気機器に対して前記表示具が前記位置決め手段にて位置決めされた場合に、前記配線接続端子を表示する端子表示手段と、を備えている前記表示具を生成するための表示具生成具であり、予め定められている複数の位置に設けられている端子表示生成手段であって、加工されて当該端子表示手段になる前記端子表示生成手段、を備え、前記端子表示生成手段が加工されて前記端子表示手段になった場合に、前記表示具生成具が前記表示具になる。
【００６６】
（付記の効果）
付記１に記載の表示具によれば、電気機器に対して表示具が位置決め手段にて位置決めされた場合に、配線接続端子を表示することにより、例えば、配線接続端子を直接的に表示することができるので、配線が電気的に接続されるべき端子を即座に特定することが可能となる。
【００６７】
付記２に記載の表示具によれば、配線の接続状態を表示することにより、例えば、配線の接続状態についても確認することができるので、想定していない端子間に配線が接続されることを確実に防止することが可能となる。
【００６８】
付記３に記載の表示具によれば、端子表示手段が切り欠き部であることにより、例えば、表示具の形状に基づいて配線接続端子を表示することができるので、配線が電気的に接続されるべき端子を即座に特定することが可能となる。また、例えば、配線接続端子に接続される配線が切り欠き部の内部に設けられているか否かに基づいて、想定している端子に配線が接続されているか否かを確認することが可能となる。
【００６９】
付記４に記載の表示具によれば、束ね手段を備えることにより、例えば、複数の表示具を束ねることができるので、表示具の管理を容易化することが可能となる。
【００７０】
付記５に記載の表示具生成具によれば、端子表示生成手段が加工されて端子表示手段になった場合に、表示具生成具が表示具になることにより、例えば、端子表示生成手段を加工するという比較的単純な作業を行うことにより表示具を生成することができるので、表示具を容易に生成することが可能となる。また、例えば、加工されて表示具の端子表示手段になる対象である端子表示生成手段が複数の位置に設けられているので、表示具を適用する現場に合わせて所望の端子表示生成手段を加工することにより、当該現場に適用可能な表示具を容易且つ即座に生成することが可能となる。
【符号の説明】
【００７１】
１  第１中継器
２  第２中継器
３  表示具
４  表示具
６  表示具
１１  筐体
１２  端子台
１３  端子孔
２１  筐体
２２  端子台
２３  端子孔
３１  位置決め部
３２  端子表示部
３３  接続情報表示部
３４  把持部
４２  端子表示部
５５  端子表示生成部
６６  束ね部
９２  束ねリング
９１  配線
１００  基準位置
１３１  配線接続端子孔
２３１  配線接続端子孔
５００  表示具生成具
【図１】
2019149283.tif 000003
【図２】
2019149283.tif 000004
【図３】
2019149283.tif 000005
【図４】
2019149283.tif 000006
【図５】
2019149283.tif 000007
【図６】
2019149283.tif 000008
【図７】
2019149283.tif 000009
【図８】
2019149283.tif 000010
【図９】
2019149283.tif 000011